(57)【要約】【課題】簡便な構造を有しながら、パネルを壁面に沿って床面から起立した状態で安定して保持できるパネル保持具を提供する。【解決手段】パネルＰを壁面Ｗに沿って床面Ｆから起立した状態で保持するパネル保持具１Ａであって、折り曲げ部４を構成するＶ字状の溝部の第１の傾斜面と前記第２の傾斜面とが互いに突き合わされた状態となるまで、第１の板部２と第２の板部３とを折り曲げ罫線に沿って折り曲げた状態とし、この状態で、床面Ｆの上に設置された第１の板部２を床面Ｆに固定すると共に、第２の板部３を弾性変形させながら、パネルＰに押し当てる。【選択図】図４
2017133347.tif 000002
【特許請求の範囲】
【請求項１】
パネルを壁面に沿って床面から起立した状態で保持するパネル保持具であって、
前記床面の上に設置される第１の板部と、
前記パネルに押し当てられる第２の板部と、
前記第１の板部と前記第２の板部との間の折り曲げ罫線に沿って折り曲げられる折り曲げ部とを備え、
前記折り曲げ部は、前記第１の板部及び前記第２の板部の一面側に前記折り曲げ罫線に沿って形成された溝部を有し、
前記溝部は、前記第１の板部に形成された第１の傾斜面と、前記第２の板部に形成された第２の傾斜面とを含み、
前記第１の傾斜面と前記第２の傾斜面とが互いに突き合わされた状態となるまで、前記第１の板部と前記第２の板部とが前記折り曲げ罫線に沿って折り曲げられたとき、前記第１の板部と前記第２の板部との間の前記一面側の折り曲げ角度が９０°よりも大きくなることを特徴するパネル保持具。
【請求項２】
前記折り曲げ角度が９１°〜１２５°であることを特徴とする請求項１に記載のパネル保持具。
【請求項３】
前記第１の板部と前記第２の板部とは、互いに連続して形成されたプラスチック中空パネルからなり、
前記プラスチック中空パネルは、互いに平行に配置された一対の平板部と、前記一対の平板部の間を前記折り曲げ罫線と直交する方向に沿って連結すると共に、前記折り曲げ罫線の延長方向に一定の間隔で並んで配置された複数のリブ部と、前記複数のリブ部の各間に形成された複数の中空部とを含む中空断面構造を有することを特徴とする請求項１又は２に記載のパネル保持具。
【請求項４】
前記溝部の内側には、前記複数のリブ部の各間から前記一面側の平板部を貫通した孔部と、前記孔部を挟んだ両側に前記一面側の平板部と共に前記リブ部が押し潰された押し潰し部とが設けられていることを特徴とする請求項３に記載のパネル保持具。
【請求項５】
前記溝部の内側には、前記複数の中空部を閉塞した前記第１の傾斜面及び前記第２の傾斜面が形成されていることを特徴とする請求項３に記載のパネル保持具。
【請求項６】
前記パネルに押し当てられる第３の板部と、
前記第２の板部と前記第３の板部との間の折り返し罫線に沿って前記一面側とは反対側に折り返される折り返し部とを備え、
前記折り返し部は、前記第２の板部及び前記第３の板部の一面側に前記折り返し罫線に沿って形成された切り込み部を有することを特徴とする請求項１〜５の何れか一項に記載のパネル保持具。
【請求項７】
前記第１の板部と前記第２の板部との間の折り曲げ罫線に沿って前記一面側とは反対側に前記折り曲げ部を折り曲げると共に、前記第２の板部と前記第３の板部との間の折り返し罫線に沿って前記一面側とは反対側に前記折り返し部を折り返した状態で、前記折り返し部を上方に向けた状態で自立可能であることを特徴とする請求項６に記載のパネル保持具。
【請求項８】
前記第１の板部と前記第２の板部との間の折り曲げ罫線に沿って前記一面側とは反対側に前記折り曲げ部を折り曲げると共に、前記第２の板部と前記第３の板部との間の折り返し罫線に沿って前記一面側とは反対側に前記折り返し部を折り返した状態としたときに、前記第１の板部の先端側と前記第３の板部の先端側とが互いに当接可能であることを特徴とする請求項７に記載のパネル保持具。
【請求項９】
請求項１〜８の何れか一項に記載のパネル保持具を用いて、パネルを壁面に沿って床面から起立した状態で保持するパネル保持方法であって、
前記第１の傾斜面と前記第２の傾斜面とが互いに突き合わされた状態となるまで、前記第１の板部と前記第２の板部とを前記折り曲げ罫線に沿って折り曲げた状態とし、この状態で、前記床面の上に設置された前記第１の板部を前記床面に固定すると共に、前記第２の板部を弾性変形させながら、前記パネルに押し当てることを特徴とするパネル保持方法。
【請求項１０】
前記パネル保持具を前記パネルの幅方向の両側に配置することを特徴する請求項９に記載のパネル保持方法。
【発明の詳細な説明】
【技術分野】
【０００１】
本発明は、パネルを壁面に沿って床面から起立した状態で保持するパネル保持具、並びに、そのようなパネル保持具を用いたパネル保持方法に関する。
【背景技術】
【０００２】
例えば、建物内で荷物や資材等を搬送する際に、養生パネルを建物の壁面に沿って配置し、壁面を一時的に保護することが行われている。このとき、養生パネルを壁面に沿って床面から起立した状態で保持する必要がある。
【０００３】
このため、養生テープを用いて養生パネルを壁面に直接貼り付けたり、自立可能な養生パネルを壁面に沿って配置したり、パネル保持具を用いて養生パネルを壁面に沿って床面から起立した状態で保持したりすることが行われている（例えば、特許文献１〜３を参照。）。
【先行技術文献】
【特許文献】
【０００４】
【特許文献１】特開２０１３−１２２１３９号公報
【特許文献２】特開２００５−１３９６９６号公報
【特許文献３】特開２００１−３１１２３６号公報
【発明の概要】
【発明が解決しようとする課題】
【０００５】
ところで、上述した養生テープを用いて養生パネルを壁面に直接貼り付ける場合は、養生パネルを回収する際に、養生テープを壁面から引き剥がす必要があり、非常に面倒である。
【０００６】
一方、自立可能な養生パネルを用いた場合は、上述したパネル回収時に養生テープを引き剥がす作業が不要となる。しかしながら、自立型の養生パネルは、高さ寸法が大きくなるほど、その重心が不安定となり、壁面の反対側へと倒れ込み易くなる。
【０００７】
一方、パネル保持具を用いた場合は、養生パネルを壁面に沿って床面から起立した状態で保持することができる。しかしながら、従来のパネル保持具は、養生パネルを壁面に押し付ける力が弱く、例えば養生パネルの高さ寸法が大きくなった場合には、養生パネルと共に壁面の反対側へと倒れ込んでしまう可能性がある。また、従来のパネル保持具は、それ自体を起立させる必要があるため、構造が複雑となってしまうといった欠点がある。
【０００８】
本発明は、このような従来の事情に鑑みて提案されたものであり、簡便な構造を有しながら、パネルを壁面に沿って床面から起立した状態で安定して保持できるパネル保持具、並びに、そのようなパネル保持具を用いたパネル保持方法を提供することを目的とする。
【課題を解決するための手段】
【０００９】
上記の目的を達成するために、本発明は以下の手段を提供する。
（１）  パネルを壁面に沿って床面から起立した状態で保持するパネル保持具であって、
前記床面の上に設置される第１の板部と、
前記パネルに押し当てられる第２の板部と、
前記第１の板部と前記第２の板部との間の折り曲げ罫線に沿って折り曲げられる折り曲げ部とを備え、
前記折り曲げ部は、前記第１の板部及び前記第２の板部の一面側に前記折り曲げ罫線に沿って形成された溝部を有し、
前記溝部は、前記第１の板部に形成された第１の傾斜面と、前記第２の板部に形成された第２の傾斜面とを含み、
前記第１の傾斜面と前記第２の傾斜面とが互いに突き合わされた状態となるまで、前記第１の板部と前記第２の板部とが前記折り曲げ罫線に沿って折り曲げられたとき、前記第１の板部と前記第２の板部との間の前記一面側の折り曲げ角度が９０°よりも大きくなることを特徴するパネル保持具。
（２）  前記折り曲げ角度が９１°〜１２５°であることを特徴とする前記（１）に記載のパネル保持具。
（３）  前記第１の板部と前記第２の板部とは、互いに連続して形成されたプラスチック中空パネルからなり、
前記プラスチック中空パネルは、互いに平行に配置された一対の平板部と、前記一対の平板部の間を前記折り曲げ罫線と直交する方向に沿って連結すると共に、前記折り曲げ罫線の延長方向に一定の間隔で並んで配置された複数のリブ部と、前記複数のリブ部の各間に形成された複数の中空部とを含む中空断面構造を有することを特徴とする前記（１）又は（２）に記載のパネル保持具。
（４）  前記溝部の内側には、前記複数のリブ部の各間から前記一面側の平板部を貫通した孔部と、前記孔部を挟んだ両側に前記一面側の平板部と共に前記リブ部が押し潰された押し潰し部とが設けられていることを特徴とする前記（３）に記載のパネル保持具。
（５）  前記溝部の内側には、前記複数の中空部を閉塞した前記第１の傾斜面及び前記第２の傾斜面が形成されていることを特徴とする前記（３）に記載のパネル保持具。
（６）  前記パネルに押し当てられる第３の板部と、
前記第２の板部と前記第３の板部との間の折り返し罫線に沿って前記一面側とは反対側に折り返される折り返し部とを備え、
前記折り返し部は、前記第２の板部及び前記第３の板部の一面側に前記折り返し罫線に沿って形成された切り込み部を有することを特徴とする前記（１）〜（５）の何れか一項に記載のパネル保持具。
（７）  前記第１の板部と前記第２の板部との間の折り曲げ罫線に沿って前記一面側とは反対側に前記折り曲げ部を折り曲げると共に、前記第２の板部と前記第３の板部との間の折り返し罫線に沿って前記一面側とは反対側に前記折り返し部を折り返した状態で、前記折り返し部を上方に向けた状態で自立可能であることを特徴とする前記（６）に記載のパネル保持具。
（８）  前記第１の板部と前記第２の板部との間の折り曲げ罫線に沿って前記一面側とは反対側に前記折り曲げ部を折り曲げると共に、前記第２の板部と前記第３の板部との間の折り返し罫線に沿って前記一面側とは反対側に前記折り返し部を折り返した状態としたときに、前記第１の板部の先端側と前記第３の板部の先端側とが互いに当接可能であることを特徴とする前記（７）に記載のパネル保持具。
（９）  請求項前記（１）〜（８）の何れか一項に記載のパネル保持具を用いて、パネルを壁面に沿って床面から起立した状態で保持するパネル保持方法であって、
前記第１の傾斜面と前記第２の傾斜面とが互いに突き合わされた状態となるまで、前記第１の板部と前記第２の板部とを前記折り曲げ罫線に沿って折り曲げた状態とし、この状態で、前記床面の上に設置された前記第１の板部を前記床面に固定すると共に、前記第２の板部を弾性変形させながら、前記パネルに押し当てることを特徴とするパネル保持方法。
（１０）  前記パネル保持具を前記パネルの幅方向の両側に配置することを特徴する前記（９）に記載のパネル保持方法。
【発明の効果】
【００１０】
以上のように、本発明によれば、簡便な構造を有しながら、パネルを壁面に沿って床面から起立した状態で安定して保持できるパネル保持具、並びに、そのようなパネル保持具を用いたパネル保持方法を提供することが可能である。
【図面の簡単な説明】
【００１１】
【図１】本発明の第１の実施形態に係るパネル保持具の構成を示し、（ａ）はその折り曲げ部を折り曲げた状態を示す側面図、（ｂ）はその正面図、（ｃ）はその上面図、（ｄ）はその折り曲げ部を折り曲げる前の状態を示す側面図である。
【図２】図１に示すパネル保持具を構成するプラスチック中空パネルの構造を示す断面図である。
【図３】図１に示すパネル保持具の折り曲げ部を拡大して示す斜視図である。
【図４】図１に示すパネル保持具を用いて養生パネルを壁面に沿って床面から起立した状態で保持した状態を示す側面図である。
【図５】本発明の第２の実施形態に係るパネル保持具の構成を示し、（ａ）はその折り曲げ部を折り曲げた状態且つ折り返し部を折り返す前の状態を示す側面図、（ｂ）はその正面図、（ｃ）はその上面図、（ｄ）はその折り曲げ部を折り曲げる前の状態且つ折り返し部を折り返した後の状態を示す側面図である。
【図６】図５に示すパネル保持具の折り返し部を拡大して示す斜視図である。
【図７】図５に示すパネル保持具を用いて養生パネルを壁面に沿って床面から起立した状態で保持した状態を示す側面図である。
【図８】本発明の第３の実施形態に係るパネル保持具の折り曲げ部を拡大して示す斜視図である。
【図９】本発明の第４の実施形態に係るパネル保持具の折り曲げ部を拡大して示す斜視図である。
【図１０】図５に示すパネル保持具を自立させた状態を示す側面図である。
【発明を実施するための形態】
【００１２】
以下、本発明の実施の形態について、図面を参照して詳細に説明する。
〔第１の実施形態〕
（パネル保持具）
先ず、本発明の第１の実施形態として、例えば図１（ａ）〜（ｄ）、図２及び図３に示すパネル保持具１Ａの構成について説明する。なお、図１（ａ）は、パネル保持具１Ａの後述する折り曲げ部４を折り曲げた状態を示す側面図である。図１（ｂ）は、パネル保持具１Ａの正面図である。図１（ｃ）は、パネル保持具１Ａの上面図である。図１（ｄ）は、パネル保持具１Ａの折り曲げ部４を折り曲げる前の状態を示す側面図である。図２は、後述するパネル保持具１Ａを構成するプラスチック中空パネル１０の構造を示す断面図である。図３は、パネル保持具１Ａの折り曲げ部４を拡大して示す斜視図である。
【００１３】
パネル保持具１Ａは、図１（ａ）〜（ｄ）及び図２に示すように、長尺板状のプラスチック中空パネル１０からなり、互いに連続して形成された第１の板部２及び第２の板部３と、第１の板部２と前記第２の板部３との間の折り曲げ罫線Ｌ１に沿って折り曲げられる折り曲げ部４とを備えている。
【００１４】
プラスチック中空パネル１０は、互いに平行に配置された一対の平板部１１，１２と、一対の平板部１１，１２の間を折り曲げ罫線Ｌ１と直交する方向（プラスチック中空パネル１０の長さ方向）に沿って連結すると共に、折り曲げ罫線Ｌ１の延長方向（プラスチック中空パネル１０の幅方向）に一定の間隔で並んで配置された複数のリブ部１３と、複数のリブ部の各間に形成された複数の中空部１４とを含む中空断面構造を有している。
【００１５】
プラスチック中空パネル１０は、例えば、ポリプロピレン樹脂、ポリエチレン樹脂、ポリ塩化ビニル樹脂、ＡＢＳ樹脂、ポリエチレンテレフタレート樹脂などの熱可塑性合成樹脂を押出成形したものを用いることができる。
【００１６】
また、プラスチック中空パネル１０の板厚は、３〜１５ｍｍ（好ましくは５〜１０ｍｍ）程度である。平板部１１，１２の厚みは、それぞれ０．３〜２．０ｍｍ（０．５〜１．５ｍｍ）程度である。リブ部１３の厚みは、０．１〜１．５ｍｍ（好ましくは０．２〜１．０ｍｍ）程度である。リブ部１３の間隔は、２〜２０ｍｍ（好ましくは２．５〜１０ｍｍ）程度である。
【００１７】
なお、本実施形態では、プラスチック中空パネル１０として、例えば、板厚が５ｍｍ、平板部１１，１２の厚みが０．５ｍｍ、リブ部１３の厚みが０．３ｍｍ、リブ部１３の間隔が４．７ｍｍのものを用いている。
【００１８】
第１の板部２は、プラスチック中空パネル１０の折り曲げ部４（折り曲げ罫線Ｌ１）を挟んだ一方（下部）側に位置して、後述する床面Ｆの上に設置される部分（横板）を構成している。一方、第２の板部３は、プラスチック中空パネル１０の折り曲げ部４（折り曲げ罫線Ｌ１）を挟んだ他方（上部）側に位置して、後述する養生パネルＰに押し当てられる部分（縦板）を構成している。また、第２の板部３は、第１の板部２と同じ幅で、第１の板部２よりも長尺に形成されている。
【００１９】
折り曲げ部４は、図３に拡大して示すように、第１の板部２及び第２の板部３の一面（平板部１１）側に折り曲げ罫線Ｌ１に沿って形成されたＶ字状の溝部５を有している。溝部５は、第１の板部２に形成された第１の傾斜面５ａと、第２の板部３に形成された第２の傾斜面５ｂとを含み、第１の傾斜面５ａと第２の傾斜面５ｂとの間で所定の開き角αを有している。折り曲げ部４は、これら第１の傾斜面５ａと第２の傾斜面５ｂとの間で折り曲げ可能となっている。
【００２０】
なお、開き角αについては、折り曲げ部４を折り曲げることによって、その角度が変化するものの、折り曲げ部４を折り曲げる前の状態（図１（ｄ）を参照。）、すなわち第１の板部２と第２の板部３とが平行となるときの角度とする。
【００２１】
溝部５は、上述した溝部５の開き角αに合わせて先端部が三角状に形成された治具（図示せず。）を加熱した状態で、プラスチック中空パネル１０の一面（平板部１１）側から折り曲げ罫線Ｌ１に沿って押し当てることにより形成されている。
【００２２】
これにより、溝部５の内側には、複数のリブ部１３の各間から一面側の平板部１１を貫通した孔部５ｃと、孔部５ｃを挟んだ両側に一面側の平板部１１と共にリブ部１３が押し潰された押し潰し部５ｄと、第１の傾斜面５ａと第２の傾斜面５ｂとの間を連結する底面５ｅとが設けられている。折り曲げ部４では、このような溝部５を設けることによって、プラスチック中空パネル１０の他面側の平板部１２を折り曲げ罫線Ｌ１に沿って繰り返し折り曲げることが可能となっている。
【００２３】
なお、溝部５の底面５ｅにおいて、孔部５ｃが形成された位置の厚みは、平板部１２と同じ厚み（本実施形態では０．５ｍｍ）であり、押し潰し部５ｄが形成された位置の厚みは、それよりも厚く、平均で０．６〜５．０ｍｍ（本実施形態では１．２ｍｍ）程度である。また、孔部５ｃについては、必ずしも各リブ部１３（押し潰し部５ｄ）の間の全てにおいて開口している必要はなく、場合によって孔部５ｃの一部が閉塞された構成となっていてもよい。
【００２４】
本実施形態のパネル保持具１Ａでは、図１（ａ）に示すように、第１の傾斜面５ａと第２の傾斜面５ｂとが互いに突き合わされた状態となるまで、第１の板部２と第２の板部３とが折り曲げ罫線Ｌ１に沿って折り曲げられたとき、第１の板部２と第２の板部３との間の一面（平板部１１）側の折り曲げ角度θが９０°よりも大きくなっている。
【００２５】
具体的には、折り曲げ角度θが９１°〜１２５°、より好ましくは９５°〜１２０°となる範囲で、上記溝部５の開き角α（＝１８０°−θ）を設定する。例えば、折り曲げ角度θを１２０°とする場合は、開き角αを６０°（＝１８０°−１２０°）に設定すればよい。また、折り曲げ角度θを９１°とする場合は、開き角αを８９°（＝１８０°−９１°）に設定すればよい。折り曲げ角度θについては、鈍角を確保した上で、１２５°までとすることで、使用時に第１の板部２の前方（通路側）への張り出し量を低減することができる。
【００２６】
（パネル保持方法）
次に、上記パネル保持具１Ａを用いたパネル保持方法について図４を参照して説明する。なお、図４は、上記パネル保持具１Ａを用いて養生パネルＰを壁面Ｗに沿って床面Ｆから起立した状態で保持した状態を示す側面図である。
【００２７】
上記パネル保持具１Ａを用いたパネル保持方法では、図４に示すように、溝部５の第１の傾斜面５ａと第２の傾斜面５ｂとが互いに突き合わされた状態となるまで、第１の板部２と第２の板部３とを折り曲げ罫線Ｌ１に沿って折り曲げた状態とし、この状態で、床面Ｆの上に設置された第１の板部２を床面Ｆに固定すると共に、第２の板部３を弾性変形させながら、養生パネルＰに押し当てる。また、パネル保持具１Ａについては、養生パネルＰを安定して保持するため、少なくとも養生パネルＰの幅方向の両側に配置することが好ましい。
【００２８】
本実施形態のパネル保持方法では、床面Ｆと壁面Ｗとの為す角が９０°（直角）であるのに対して、第１の板部２と第２の板部３との間の折り曲げ角度θが９０°よりも大きくなるパネル保持具１Ａを用いることで、第２の板部３を撓ませながら、その反発力を利用して養生パネルＰを壁面Ｗに対して強く押し付けることができる。また、第２の板部３が養生パネルＰと共に壁面Ｗの反対側へと倒れ込むことを防ぐことが可能である。
【００２９】
ここで、本実施形態のパネル保持具１Ａでは、上述した溝部５の第１の傾斜面５ａと第２の傾斜面５ｂとが互いに突き合わされた状態となるまで、第１の板部２と第２の板部３とを折り曲げ罫線Ｌ１に沿って折り曲げた状態としたときに、各孔部５ｃの両側にある押し潰し部５ｄが第１の傾斜面５ａ側と第２の傾斜面５ｂ側とで互いに押し当てられる。
【００３０】
このとき、第１の板部２と第２の板部３との間の折り曲げ角度θを規制すると共に、この折り曲げ角度θが９０°以下となることを防ぐことができる。さらに、折り曲げられた状態の他面側の平板部１２が元に戻ろうとする復元力によって、上述した反発力をより大きく発生させることが可能である。
【００３１】
以上のように、本実施形態のパネル保持方法では、上述した簡便な構造を有するパネル保持具１Ａを用いて、養生パネルＰを壁面Ｗに沿って床面Ｆから起立した状態で安定して保持することが可能である。
【００３２】
〔第２の実施形態〕
（パネル保持具）
次に、本発明の第２の実施形態として、例えば図５（ａ）〜（ｄ）及び図６に示すパネル保持具１Ｂの構成について説明する。なお、以下の説明では、上記パネル保持具１Ａと同等の部位については、説明を省略すると共に、図面において同じ符号を付すものとする。
【００３３】
図５（ａ）は、パネル保持具１Ｂの折り曲げ部４を折り曲げた状態且つ後述する折り返し部８を折り返す前の状態を示す側面図である。図５（ｂ）は、パネル保持具１Ｂの正面図である。図５（ｃ）は、パネル保持具１Ｂの上面図である。図５（ｄ）は、パネル保持具１Ｂの折り曲げ部４を折り曲げる前の状態且つ折り返し部８を折り返した後の状態を示す側面図である。図６は、パネル保持具１Ｂの折り返し部８を拡大して示す斜視図である。
【００３４】
パネル保持具１Ｂは、図５（ａ）〜（ｄ）に示すように、上記パネル保持具１Ａの構成に加えて、プラスチック中空パネル１０により第１の板部２及び第２の板部３と連続して形成された第３の板部７と、第２の板部３と第３の板部７との間の折り返し罫線Ｌ２に沿って一面（平板部１１）側とは反対（平板部１２）側に折り返される折り返し部８とを備えている。
【００３５】
第３の板部７は、プラスチック中空パネル１０の折り返し部８（折り返し罫線Ｌ２）を挟んだ第２の板部３とは反対側（上部側）に位置して、後述する養生パネルＰ’に押し当てられる部分（縦板）を構成している。
【００３６】
折り返し部８は、図６に拡大して示すように、第２の板部３及び第３の板部７の一面側に折り返し罫線Ｌ２に沿って形成された切り込み部９を有している。切り込み部９は、プラスチック中空パネル１０の他面側の平板部１２を残して、一面側の平板部１１及び複数のリブ部１３を折り返し罫線Ｌ２に沿って切断するハーフカット加工により形成されている。これにより、折り返し部８では、プラスチック中空パネル１０の他面側の平板部１２を折り返し罫線Ｌ２に沿って他面側に１８０°で繰り返し折り返すことができる。
【００３７】
本実施形態のパネル保持具１Ｂでは、図５（ａ）に示すように、第３の板部７が第２の板部３と共に養生パネルＰに押し当てられる部分（縦板）を構成しているが、図５（ｄ）に示すように、第２の板部３から高さ方向（プラスチック中空パネル１０の長さ方向）に延長された第３の板部７を他面（平板部１２）側に折り返すことで、この第３の板部７をよりコンパクトに折り畳むことが可能である。
【００３８】
（パネル保持方法）
次に、上記パネル保持具１Ｂを用いたパネル保持方法について図７を参照して説明する。なお、図７は、上記パネル保持具１Ｂを用いて養生パネルＰ’を壁面Ｗに沿って床面Ｆから起立した状態で保持した状態を示す側面図である。
【００３９】
上記パネル保持具１Ｂを用いたパネル保持方法では、図７に示すように、溝部５の第１の傾斜面５ａと第２の傾斜面５ｂとが互いに突き合わされた状態となるまで、第１の板部２と第２の板部３とを折り曲げ罫線Ｌ１に沿って折り曲げた状態とし、この状態で、床面Ｆの上に設置された第１の板部２を床面Ｆに固定すると共に、第２の板部３を弾性変形させながら、養生パネルＰ’に押し当てる。また、パネル保持具１Ｂについては、養生パネルＰ’を安定して保持するため、少なくとも養生パネルＰ’の幅方向の両側に配置することが好ましい。
【００４０】
ここで、図７に示す養生パネルＰ’は、図４に示す養生パネルＰよりも高さ寸法が大きくなっている。そこで、本実施形態のパネル保持方法では、第２の板部３から高さ方向に延長された第３の板部７の他面（平板部１２）側を養生パネルＰ’に押し当てた状態とする。
【００４１】
本実施形態のパネル保持方法では、床面Ｆと壁面Ｗとの為す角が９０°（直角）であるのに対して、第１の板部２と第２の板部３との間の折り曲げ角度θが９０°よりも大きくなるパネル保持具１Ｂを用いることで、第２の板部３を撓ませながら、その反発力を利用して養生パネルＰ’を壁面Ｗに対して強く押し付けることができる。また、第２の板部３が養生パネルＰ’と共に壁面Ｗの反対側へと倒れ込むことを防ぐことが可能である。
【００４２】
ここで、本実施形態のパネル保持具１Ｂでは、上述した溝部５の第１の傾斜面５ａと第２の傾斜面５ｂとが互いに突き合わされた状態となるまで、第１の板部２と第２の板部３とを折り曲げ罫線Ｌ１に沿って折り曲げた状態としたときに、各孔部５ｃの両側にある押し潰し部５ｄが第１の傾斜面５ａ側と第２の傾斜面５ｂ側とで互いに押し当てられる。
【００４３】
このとき、第１の板部２と第２の板部３との間の折り曲げ角度θを規制すると共に、この折り曲げ角度θが９０°以下となることを防ぐことができる。さらに、折り曲げられた状態の他面側の平板部１２が元に戻ろうとする復元力によって、上述した反発力をより大きく発生させることが可能である。
【００４４】
また、本実施形態のパネル保持具１Ｂでは、折り返し部８により第３の板部７が第２の板部３に対して他面（平板部１２）側にのみ折り返される構成のため、養生パネルＰ’に押し当てられた第３の板部７が壁面Ｗの反対側へと倒れ込むことを防ぐことが可能である。
【００４５】
以上のように、本実施形態のパネル保持方法では、上述した簡便な構造を有するパネル保持具１Ｂを用いて、上記養生パネルＰよりも高さ寸法の大きい養生パネルＰ’を壁面Ｗに沿って床面Ｆから起立した状態で安定して保持することが可能である。
【００４６】
また、本実施形態のパネル保持具１Ｂでは、第２の板部３から高さ方向に延長された第３の板部７を他面（平板部１２）側に折り返すことで、このパネル保持具１Ｂの高さを変更することができる。さらに、第３の板部７を折り返した状態において、上記養生パネルＰ’よりも高さ寸法の小さい養生パネルＰの保持を行うことが可能である。
【００４７】
〔第３の実施形態〕
（パネル保持具）
次に、本発明の第３の実施形態として、例えば図８に示すパネル保持具１Ｃの構成について説明する。なお、図８は、パネル保持具１Ｃの折り曲げ部を拡大して示す斜視図である。また、以下の説明では、上記パネル保持具１Ａ，１Ｂと同等の部位については、説明を省略すると共に、図面において同じ符号を付すものとする。
【００４８】
本実施形態のパネル保持具１Ｃは、上記パネル保持具１Ａ，１Ｂを構成する折り曲げ部４を、図８に示す折り曲げ部４Ａに変更した構成である。具体的に、この折り曲げ部４Ａでは、溝部５の内側において、複数の中空部１４を閉塞した第１の傾斜面５ａ及び第２の傾斜面５ｂが形成されている。
【００４９】
このような溝部５は、上述した溝部５の開き角αに合わせて先端部が三角状に形成された治具（図示せず。）を加熱した状態で、プラスチック中空パネル１０の一面（平板部１１）側から折り曲げ罫線Ｌ１に沿って押し当てながら、この治具との接触部分を溶融させることによって形成することができる。これにより、溝部５の内側には、複数の中空部１４が閉塞された第１の傾斜面５ａ及び第２の傾斜面５ｂと、これら第１の傾斜面５ａと第２の傾斜面５ｂとの間を連結する底面５ｅとが設けられている。
【００５０】
なお、本実施形態では、例えば、厚さが３〜１５ｍｍ程度の中空プラスチックパネル１０に対して、上述した中空部１４を閉塞した溝部５を形成することができるが、特に厚さが６〜１５ｍｍ程度の中空プラスチックパネル１０を用いることで、中空部１４を閉塞するのに十分な樹脂量を確保することができ、中空部１４を閉塞した溝部５の形成を容易とすることが可能である。
【００５１】
また、溝部５の第１の傾斜面５ａ及び第２の傾斜面５ｂは、加熱した治具との接触により硬化されるため、これら硬化した傾斜面５ａ，５ｂ同士が折り曲げ時に均一に荷重を受けることになる。これにより、折り曲げ時に折り曲げ角度θが安定的に保持されると共に、長時間の使用における破損の防止効果を得ることが可能である。
【００５２】
折り曲げ部４Ａでは、このような溝部５を設けることによって、プラスチック中空パネル１０の他面側の平板部１２を折り曲げ罫線Ｌ１に沿って繰り返し折り曲げることが可能となっている。
【００５３】
（パネル保持方法）
本実施形態のパネル保持具１Ｃは、上記パネル保持具１Ａ，１Ｂを構成する折り曲げ部４を、上記図８に示す折り曲げ部４Ａに変更した以外は、上記パネル保持具１Ａ，１Ｂと同じ構成を有している。
【００５４】
したがって、上記パネル保持具１Ｃを用いたパネル保持方法では、上記図４及び図７に示す場合と同様に、溝部５の第１の傾斜面５ａと第２の傾斜面５ｂとが互いに突き合わされた状態となるまで、第１の板部２と第２の板部３とを折り曲げ罫線Ｌ１に沿って折り曲げた状態とし、この状態で、床面Ｆの上に設置された第１の板部２を床面Ｆに固定すると共に、第２の板部３を弾性変形させながら、養生パネルＰ，Ｐ’に押し当てる。また、パネル保持具１Ｃについては、養生パネルＰ，Ｐ’を安定して保持するため、少なくとも養生パネルＰ，Ｐ’の幅方向の両側に配置することが好ましい。
【００５５】
また、上記図７に示す養生パネルＰ’は、上記図４に示す養生パネルＰよりも高さ寸法が大きくなっている。その場合、上記パネル保持具１Ｂを構成する折り曲げ部４を、上述した折り曲げ部４Ａに変更したパネル保持具１Ｃを用いることによって、第２の板部３から高さ方向に延長された第３の板部７の他面（平板部１２）側を養生パネルＰ’に押し当てた状態とする。
【００５６】
これにより、本実施形態のパネル保持具１Ｃでは、折り返し部８により第３の板部７が第２の板部３に対して他面（平板部１２）側にのみ折り返される構成のため、養生パネルＰ’に押し当てられた第３の板部７が壁面Ｗの反対側へと倒れ込むことを防ぐことが可能である。
【００５７】
本実施形態のパネル保持方法では、床面Ｆと壁面Ｗとの為す角が９０°（直角）であるのに対して、第１の板部２と第２の板部３との間の折り曲げ角度θが９０°よりも大きくなるパネル保持具１Ｃを用いることで、第２の板部３を撓ませながら、その反発力を利用して養生パネルＰを壁面Ｗに対して強く押し付けることができる。また、第２の板部３が養生パネルＰと共に壁面Ｗの反対側へと倒れ込むことを防ぐことが可能である。
【００５８】
ここで、本実施形態のパネル保持具１Ｃでは、上述した溝部５の第１の傾斜面５ａと第２の傾斜面５ｂとが互いに突き合わされた状態となるまで、第１の板部２と第２の板部３とを折り曲げ罫線Ｌ１に沿って折り曲げた状態とする。このとき、第１の傾斜面５ａと第２の傾斜面５ｂとは、複数の中空部１４を閉塞した構成のため、互いの面同士を押し当てた（密着させた）状態となる。
【００５９】
これにより、第１の板部２と第２の板部３との間の折り曲げ角度θを規制すると共に、この折り曲げ角度θが９０°以下となることを防ぐことができる。さらに、折り曲げられた状態の他面側の平板部１２が元に戻ろうとする復元力によって、上述した反発力をより大きく発生させることが可能である。
【００６０】
また、上記パネル保持具１Ｃでは、第１の傾斜面５ａと第２の傾斜面５ｂとが複数の中空部１４を閉塞した構成のため、第１の板部２側を構成する複数のリブ部１３と、第２の板部３側を構成する複数のリブ部１３との間で位置ずれが生じていたとしても、第１の傾斜面５ａと第２の傾斜面５ｂとを突き合わせた状態とすることが可能である。
【００６１】
さらに、上記パネル保持具１Ｃでは、溝部５Ａの間から複数の中空部１４に塵埃や異物等が進入することを防ぐことが可能である。これにより、繰り返し使用した場合でも、衛生を保つことが可能である。
【００６２】
以上のように、本実施形態のパネル保持方法では、上述した簡便な構造を有するパネル保持具１Ｃを用いて、養生パネルＰを壁面Ｗに沿って床面Ｆから起立した状態で安定して保持することが可能である。
【００６３】
〔第４の実施形態〕
（パネル保持具）
次に、本発明の第４の実施形態として、例えば図９に示すパネル保持具１Ｄの構成について説明する。なお、図９は、パネル保持具１Ｄの折り曲げ部を拡大して示す斜視図である。また、以下の説明では、上記パネル保持具１Ａ，１Ｂと同等の部位については、説明を省略すると共に、図面において同じ符号を付すものとする。
【００６４】
本実施形態のパネル保持具１Ｄは、上記パネル保持具１Ａ，１Ｂを構成する折り曲げ部４を、図９に示す折り曲げ部４Ｂに変更した構成である。具体的に、この折り曲げ部４Ｂでは、溝部５の内側において、複数の中空部１４が開口した第１の傾斜面５ａ及び第２の傾斜面５ｂが形成されている。
【００６５】
このような溝部５は、プラスチック中空パネル１０の一面（平板部１１）側から折り曲げ罫線Ｌ１に沿って切り込みを形成した後に、上述した溝部５の開き角αに合わせて、第１の傾斜面５ａと第２の傾斜面５ｂとを斜めに切り欠くことによって形成することができる。これにより、溝部５の内側には、複数の中空部１４が開口した第１の傾斜面５ａ及び第２の傾斜面５ｂと、これら第１の傾斜面５ａと第２の傾斜面５ｂとの間を連結する底面５ｅとが設けられている。
【００６６】
なお、本実施形態では、例えば、中空プラスチックパネル１０の厚さについて特に限定されないものの、厚さが９〜１５ｍｍ程度の中空プラスチックパネル１０を用いることで、中空部１４を閉塞するのに十分な樹脂量を確保することができ、中空部１４を閉塞した溝部５の形成を容易とすることが可能である。
【００６７】
折り曲げ部４Ｂでは、このような溝部５を設けることによって、プラスチック中空パネル１０の他面側の平板部１２を折り曲げ罫線Ｌ１に沿って繰り返し折り曲げることが可能となっている。
【００６８】
（パネル保持方法）
本実施形態のパネル保持具１Ｄは、上記パネル保持具１Ａ，１Ｂを構成する折り曲げ部４を、上記図９に示す折り曲げ部４Ｂに変更した以外は、上記パネル保持具１Ａ，１Ｂと同じ構成を有している。
【００６９】
したがって、上記パネル保持具１Ｄを用いたパネル保持方法では、上記図４及び図７に示す場合と同様に、溝部５の第１の傾斜面５ａと第２の傾斜面５ｂとが互いに突き合わされた状態となるまで、第１の板部２と第２の板部３とを折り曲げ罫線Ｌ１に沿って折り曲げた状態とし、この状態で、床面Ｆの上に設置された第１の板部２を床面Ｆに固定すると共に、第２の板部３を弾性変形させながら、養生パネルＰ，Ｐ’に押し当てる。また、パネル保持具１Ｄについては、養生パネルＰ，Ｐ’を安定して保持するため、少なくとも養生パネルＰ，Ｐ’の幅方向の両側に配置することが好ましい。
【００７０】
また、上記図７に示す養生パネルＰ’は、上記図４に示す養生パネルＰよりも高さ寸法が大きくなっている。その場合、上記パネル保持具１Ｂを構成する折り曲げ部４を、上述した折り曲げ部４Ｂに変更したパネル保持具１Ｄを用いることによって、第２の板部３から高さ方向に延長された第３の板部７の他面（平板部１２）側を養生パネルＰ’に押し当てた状態とする。
【００７１】
これにより、本実施形態のパネル保持具１Ｄでは、折り返し部８により第３の板部７が第２の板部３に対して他面（平板部１２）側にのみ折り返される構成のため、養生パネルＰ’に押し当てられた第３の板部７が壁面Ｗの反対側へと倒れ込むことを防ぐことが可能である。
【００７２】
本実施形態のパネル保持方法では、床面Ｆと壁面Ｗとの為す角が９０°（直角）であるのに対して、第１の板部２と第２の板部３との間の折り曲げ角度θが９０°よりも大きくなるパネル保持具１Ｄを用いることで、第２の板部３を撓ませながら、その反発力を利用して養生パネルＰを壁面Ｗに対して強く押し付けることができる。また、第２の板部３が養生パネルＰと共に壁面Ｗの反対側へと倒れ込むことを防ぐことが可能である。
【００７３】
ここで、本実施形態のパネル保持具１Ｄでは、上述した溝部５の第１の傾斜面５ａと第２の傾斜面５ｂとが互いに突き合わされた状態となるまで、第１の板部２と第２の板部３とを折り曲げ罫線Ｌ１に沿って折り曲げた状態とする。このとき、第１の傾斜面５ａと第２の傾斜面５ｂとは、複数の中空部１４が開口した構成のため、互いのリブ部１３同士を押し当てた状態となる。
【００７４】
これにより、第１の板部２と第２の板部３との間の折り曲げ角度θを規制すると共に、この折り曲げ角度θが９０°以下となることを防ぐことができる。さらに、折り曲げられた状態の他面側の平板部１２が元に戻ろうとする復元力によって、上述した反発力をより大きく発生させることが可能である。
【００７５】
また、上記パネル保持具１Ｄでは、第１の傾斜面５ａと第２の傾斜面５ｂとを斜めに切り欠くことによって、溝部５の所望の開き角αに合わせて、第１の傾斜面５ａ及び第２の傾斜面５ｂを精度良く形成することが可能である。
【００７６】
以上のように、本実施形態のパネル保持方法では、上述した簡便な構造を有するパネル保持具１Ｄを用いて、養生パネルＰを壁面Ｗに沿って床面Ｆから起立した状態で安定して保持することが可能である。
【００７７】
なお、本発明は、上記実施形態のものに必ずしも限定されるものではなく、本発明の趣旨を逸脱しない範囲において種々の変更を加えることが可能である。
例えば、上記パネル保持具１Ａ〜１Ｄは、養生パネルＰ，Ｐ’を壁面Ｗに沿って床面Ｆから起立した状態で保持する構成となっているが、その幅方向の寸法を拡大することで、養生パネルＰ，Ｐ’を用いることなく、それ自体を壁面Ｗを保護する養生パネルとして利用することも可能である。
【００７８】
また、上記実施形態では、パネル保持具１Ａ〜１Ｄを養生パネルＰ，Ｐ’の幅方向の両側に配置する場合について説明したが、養生パネルＰ，Ｐ’の幅方向の寸法を拡大した場合には、使用するパネル保持具１Ａ〜１Ｄの数を増やして、養生パネルＰ，Ｐ’の幅方向にパネル保持具１Ａ〜１Ｄを複数並べて配置することも可能である。
【００７９】
また、上記パネル保持具１Ｂについては、例えば図１０に示すように、第１の板部２と第２の板部３との間の折り曲げ罫線Ｌ１に沿って一面側とは反対（平板部１２）側に折り曲げ部４，４Ａ，４Ｂを折り曲げると共に、第２の板部３と第３の板部７との間の折り返し罫線Ｌ２に沿って一面側とは反対（平板部１２）側に折り返し部８を折り返した状態とすることで、折り返し部８を上方に向けた状態で、床面Ｆの上に自立させた状態で設置することが可能である。
【００８０】
この場合、第１の板部２を床面Ｆの上に設置した状態で、第１の板部２の先端側と第３の板部７の先端側とを互いに当接させることが可能である。また、上記パネル保持具１Ａ〜１Ｄでは、自立した状態を保持するため、例えば、第１の板部２の先端側と第３の板部７の先端側とをテープ等により固定したり、互いに係合される部分を設けて固定したりしてもよい。さらに、必要に応じて、転倒防止のための重しＢを第１の板部２の上に置くことも可能である。
【００８１】
一方、第３の板部７の先端側は、必ずしも第１の板部２の先端側と当接させる必要はなく、第２の板部３と第３の板部７との間の他面（平板部１２）側の折り曲げ角度を広げることによって、床面Ｆに当接された状態としてもよい。
【００８２】
これにより、上記パネル保持具１Ｂを、例えば立て看板やポール、フェンス等として利用することが可能である。例えば、工事や引越などの養生を行う現場では、表示板が必要となることがある。そこで、上記パネル保持具１Ｂを立て看板として利用する場合は、第２の板部３や第３の板部７の他面（平板部１２）側に印字や印刷等を施した表示部Ｓを設けることによって、表示板として利用することも可能である。
【００８３】
また、上記パネル保持具１Ｂは、折り畳んだ状態で積み重ねることもできるため、持ち運びがし易く、保管スペースも抑えることができるため、運送・保管管理を容易とすることが可能である。
【００８４】
また、上記パネル保持具１Ａ〜１Ｄでは、第１の板部２及び第３の板部７の先端側において、複数の中空部１４に塵埃や異物等が進入することを防ぐため、これら複数の中空部１４に閉塞した端面を設けた構成としてもよい。これにより、繰り返し使用した場合でも、衛生を保つことが可能となり、クリーンルーム等の塵埃や異物等を好まないクリーン度の高い場所での使用も可能となる。
【００８５】
なお、床面Ｆの上に設置された第１の板部２を床面Ｆに固定する方法については、特に限定されないものの、例えば、養生テープを用いて床面Ｆに固定する方法や、固定治具（例えば図１０中に示す重りＢなど。）を用いて床面Ｆに固定する方法などを採用することができる。
【００８６】
また、上記実施形態では、プラスチック中空パネル１０として、複数のリブ部１３が平行に並ぶ中空断面構造のものを例示したが、本発明は、このような中空断面構造のものに必ずしも限定されるものではない。例えば、低樹脂量（薄物低目付）素材や、円柱状に真空成形した合成樹脂製のシートと上下２枚のシートとを熱融着した三層構造の中空積層シート（例えば、商品名：プラパール（登録商標）、川上産業株式会社製）、ハニカム構造のコア材を連接配置した樹脂板（例えば、商品名：テクセル（登録商標）、岐阜プラスチック株式会社製）、その他リブの変形が可能となる材質のものを用いることが可能である。
【符号の説明】
【００８７】
１Ａ，１Ｂ，１Ｃ，１Ｄ…パネル保持具  ２…第１の板部  ３…第２の板部  ４，４Ａ，４Ｂ…折り曲げ部  ５…溝部  ５ａ…第１の傾斜面  ５ｂ…第２の傾斜面  ５ｃ…孔部  ５ｄ…押し潰し部  ５ｅ…底面  ７…第３の板部  ８…折り返し部  ９…切り込み部  Ｌ１…折り曲げ罫線  Ｌ２…折り返し罫線  θ…折り曲げ角度  １０…プラスチック中空パネル  １１…一面側の平板部  １２…他面側の平板部  １３…リブ部  １４…中空部  Ｐ，Ｐ’…養生パネル  Ｗ…壁面  Ｆ…床面
【図１】
2017133347.tif 000003
【図２】
2017133347.tif 000004
【図３】
2017133347.tif 000005
【図４】
2017133347.tif 000006
【図５】
2017133347.tif 000007
【図６】
2017133347.tif 000008
【図７】
2017133347.tif 000009
【図８】
2017133347.tif 000010
【図９】
2017133347.tif 000011
【図１０】
2017133347.tif 000012